(57)【要約】【課題】レールカバーのレール部材に対する取付を簡単に行うことのできる太陽光発電装置を提供する。【解決手段】太陽光発電パネル１を保持してなるパネル体１０と、パネル体１０を支持する架台２とが設けられ、架台２は、パネル体１０の縦辺を支持固定する縦レール部材２０を有し、縦レール部材２０は、屋根面３に対して固着される底面部４０と、パネル体１０を支持固定するパネル固定部４４とを有し、底面部４０にはアタッチメント固定部４３が形成され、アタッチメント固定部４３には、長手方向に沿って小片状のカバー用アタッチメント４６が複数固定され、上端部にカバー固定部４６ｂが形成され、カバー固定部４６ｂには縦レール部材２０の上方を覆う縦レールカバー４５が固定される。【選択図】図４
2013076308.tif 000002
【特許請求の範囲】
【請求項１】
建物の屋根面に太陽光発電パネルが固定される太陽光発電装置において、
前記太陽光発電パネルを保持してなるパネル体と、該パネル体を支持する架台とが設けられ、
前記架台は、前記パネル体の縁部のうち前記屋根面の傾斜方向に沿う縦辺を支持固定する縦レール部材を有し、該縦レール部材にはアタッチメント固定部が形成され、該アタッチメント固定部には、長手方向に沿って小片状のカバー用アタッチメントが複数固定され、該カバー用アタッチメントには上端部にカバー固定部が形成され、該カバー固定部には前記縦レール部材の上方を覆う縦レールカバーが固定されることを特徴とする太陽光発電装置。
【請求項２】
前記カバー用アタッチメントは、少なくとも前記パネル体の上面近傍位置までの高さを有することを特徴とする請求項１記載の太陽光発電装置。
【請求項３】
前記縦レールカバーは前記カバー固定部に固定されるカバー側固着部と、該カバー側固着部から前記パネル体の上面位置まで伸びるカバー部とを有してなることを特徴とする請求項１または２記載の太陽光発電装置。
【請求項４】
前記縦レール部材のアタッチメント固定部は前記底面部から立ち上がり状に形成され、前記カバー用アタッチメントは下端部に前記アタッチメント固定部に対し係合される係合部を有してなることを特徴とする請求項１〜３のいずれか１項に記載の太陽光発電装置。
【請求項５】
前記カバー用アタッチメントは、前記アタッチメント固定部に対して弾性係合することを特徴とする請求項４記載の太陽光発電装置。
【請求項６】
前記カバー用アタッチメントは、前記アタッチメント固定部に対して内側で弾性係合することを特徴とする請求項５記載の太陽光発電装置。
【請求項７】
前記縦レール部材は前記底面部の中央部に前記アタッチメント固定部が形成され、該アタッチメント固定部の両側からそれぞれ前記パネル固定部が立ち上がり、各パネル固定部には隣接する各パネル体の縦辺が支持固定されることを特徴とする請求項４〜６のいずれか１項に記載の太陽光発電装置。
【請求項８】
建物の屋根面に太陽光発電パネルを固定する太陽光発電装置の設置方法において、
前記太陽光発電パネルを保持してなるパネル体と、該パネル体のうち前記屋根面の傾斜方向に沿う縦辺を支持固定すると共に、アタッチメント固定部を備えた縦レール部材を有する架台とを前記屋根面に固定し、
前記アタッチメント固定部には、長手方向に沿って小片状のカバー用アタッチメントが複数固定され、該カバー用アタッチメントには上端部にカバー固定部が形成されており、該カバー固定部には前記縦レール部材の上方を覆う縦レールカバーが固定されることを特徴とする太陽光発電装置の設置方法。
【発明の詳細な説明】
【技術分野】
【０００１】
本発明は、建物の屋根に設置される太陽光発電装置及びその設置方法に関し、特に屋根面の傾斜方向に沿って設けられ架台を構成する縦レール部材に対し取付けられる縦レールカバーの取付を容易にした太陽光発電装置およびその設置方法に関する。
【背景技術】
【０００２】
建物の屋根面に太陽光発電パネルを設置するには、それを支持、固定する支持構造を設け、太陽光発電装置を構成する必要がある。太陽光発電装置のうち、屋根一体型の構造では、まず、木材からなる野地板に防水加工を施した上で、その表面に鋼板を敷設する。この鋼板の上、または鋼板の下に潜り込ませるようにして、太陽光発電パネルを支持する架台を設置する。太陽光発電パネルは、これを四周に渡って保持する枠体に囲まれてパネル体を構成しており、パネル体は枠体の周縁部が架台に載置され、固定がなされる。
【０００３】
架台には、屋根面に設置される長尺状のレール部材が用いられ、このレール部材に対してパネル体を構成する枠体が載置固定される。レール部材は、隣接するパネル体の各枠体を固定することができ、この場合、パネル体間の隙間を覆うようにレールカバーが設けられる。このように、架台を構成するレール部材を覆うレールカバーを設けた太陽光発電装置としては、例えば特許文献１に挙げるようなものがある。
【先行技術文献】
【特許文献】
【０００４】
【特許文献１】特開２０００−３４５６７２号公報
【発明の概要】
【発明が解決しようとする課題】
【０００５】
従来の太陽光発電装置において、レールカバーは、レール部材に対して直接嵌合、あるいはネジ止めするなどして固定されていた。しかし、レールカバーはレール部材の長手方向に沿って形成される長尺状の部材であるため、固定部分も長手方向に沿って形成されることとなり、レールカバーをレール部材に直接固定するためには、レールカバーの取付精度が高くなければならないため、施工の簡易さを損なうこととなっていた。
【０００６】
本発明は前記課題を鑑みてなされたものであり、レールカバーのレール部材に対する取付を簡単に行うことのできる太陽光発電装置およびその設置方法を提供することを目的とする。
【課題を解決するための手段】
【０００７】
前記課題を解決するため、本発明に係る太陽光発電装置は、建物の屋根面に太陽光発電パネルが固定される太陽光発電装置において、
前記太陽光発電パネルを保持してなるパネル体と、該パネル体を支持する架台とが設けられ、
前記架台は、前記パネル体の縁部のうち前記屋根面の傾斜方向に沿う縦辺を支持固定する縦レール部材を有し、該縦レール部材にはアタッチメント固定部が形成され、該アタッチメント固定部には、長手方向に沿って小片状のカバー用アタッチメントが複数固定され、該カバー用アタッチメントには上端部にカバー固定部が形成され、該カバー固定部には前記縦レール部材の上方を覆う縦レールカバーが固定されることを特徴として構成されている。
【０００８】
また、本発明に係る太陽光発電装置は、前記カバー用アタッチメントは、少なくとも前記パネル体の上面近傍位置までの高さを有することを特徴として構成されている。
【０００９】
さらに、本発明に係る太陽光発電装置は、前記縦レールカバーは前記カバー固定部に固定されるカバー側固着部と、該カバー側固着部から前記パネル体の上面位置まで伸びるカバー部とを有してなることを特徴として構成されている。
【００１０】
さらにまた、本発明に係る太陽光発電装置は、前記縦レール部材のアタッチメント固定部は前記底面部から立ち上がり状に形成され、前記カバー用アタッチメントは下端部に前記アタッチメント固定部に対し係合される係合部を有してなることを特徴として構成されている。
【００１１】
そして、本発明に係る太陽光発電装置は、前記カバー用アタッチメントは、前記アタッチメント固定部に対して弾性係合することを特徴として構成されている。
【００１２】
また、本発明に係る太陽光発電装置は、前記カバー用アタッチメントは、前記アタッチメント固定部に対して内側で弾性係合することを特徴として構成されている。
【００１３】
さらに、本発明に係る太陽光発電装置は、前記縦レール部材は前記底面部の中央部に前記アタッチメント固定部が形成され、該アタッチメント固定部の両側からそれぞれ前記パネル固定部が立ち上がり、各パネル固定部には隣接する各パネル体の縦辺が支持固定されることを特徴として構成されている。
【００１４】
さらにまた、本発明に係る太陽光発電装置の設置方法は、建物の屋根面に太陽光発電パネルを固定する太陽光発電装置の設置方法において、
前記太陽光発電パネルを保持してなるパネル体と、該パネル体のうち前記屋根面の傾斜方向に沿う縦辺を支持固定すると共に、アタッチメント固定部を備えた縦レール部材を有する架台とを前記屋根面に固定し、
前記アタッチメント固定部には、長手方向に沿って小片状のカバー用アタッチメントが複数固定され、該カバー用アタッチメントには上端部にカバー固定部が形成されており、該カバー固定部には前記縦レール部材の上方を覆う縦レールカバーが固定されることを特徴として構成されている。
【発明の効果】
【００１５】
本発明に係る太陽光発電装置によれば、縦レール部材のアタッチメント固定部には、長手方向に沿って小片状のカバー用アタッチメントが複数固定され、上端部にカバー固定部が形成され、カバー用アタッチメントのカバー固定部には縦レール部材の上方を覆う縦レールカバーが固定されることにより、縦レール部材の取付精度が高くなくても、小片状のカバー用アタッチメントであれば容易に係合固定することができるので、施工の簡易性を損なうことがないようにすることができ、また、縦レールカバーと縦レール部材との間に空間を確保することができるので、太陽光発電パネルの配線などを通すスペースを確保することもできる。
【００１６】
また、本発明に係る太陽光発電装置によれば、カバー用アタッチメントは、少なくともパネル体の上面近傍位置までの高さを有することにより、縦レールカバーをパネル体と同等の位置で固定することができ、固定の作業を容易にすることができる。
【００１７】
さらに、本発明に係る太陽光発電装置によれば、縦レールカバーはカバー固定部に固定されるカバー側固着部と、カバー側固着部からパネル体の上面位置まで伸びるカバー部とを有してなることにより、縦レールカバーによりパネル体間を確実に覆うことができ、また縦レールカバーの上部で固定することができるので、固定作業を容易にすることができる。
【００１８】
さらにまた、本発明に係る太陽光発電装置によれば、縦レール部材のアタッチメント固定部は底面部から立ち上がり状に形成され、カバー用アタッチメントは下端部にアタッチメント固定部に対し係合される係合部を有してなることにより、カバー用アタッチメントを縦レール部材に差し込んで簡単に係合固定させることができるので、カバー用アタッチメントの取付作業を容易にすることができる。
【００１９】
そして、本発明に係る太陽光発電装置によれば、カバー用アタッチメントは、アタッチメント固定部に対して弾性係合することにより、カバー用アタッチメントの縦レール部材に対する固定作業を容易にすることができる。
【００２０】
また、本発明に係る太陽光発電装置によれば、カバー用アタッチメントは、アタッチメント固定部に対して内側で弾性係合することにより、カバー用アタッチメントをつまむだけで変形させることができ、係合解除を容易にすることができる。
【００２１】
さらに、本発明に係る太陽光発電装置によれば、縦レール部材はアタッチメント固定部の両側からそれぞれパネル固定部が立ち上がり、各パネル固定部には隣接する各パネル体の縦辺が支持固定されることにより、隣接するパネル体を一体的に固定しつつ、パネル体間を縦レールカバーにより確実に覆うことができる。
【図面の簡単な説明】
【００２２】
【図１】本実施形態における太陽光発電装置の平面図である。
【図２】図１のＡ−Ａ断面図である。
【図３】図１のＢ−Ｂ断面図である。
【図４】図２のうち縦レール部材付近の拡大図である。
【図５】図４の分解図である。
【図６】縦レール部材とカバー用アタッチメントとの関係を表した斜視図である。
【図７】別の形態のカバー用アタッチメントを採用した場合の縦レール部材付近の拡大断面図である。
【発明を実施するための形態】
【００２３】
本発明の実施形態について図面に沿って詳細に説明する。本実施形態の太陽光発電装置は、傾斜面状に構成されてなる建物の屋根に取付けられるものである。すなわち、太陽光発電装置は、屋根面の傾斜に沿って設けられている。また、本実施形態の太陽光発電装置は、建物の施工時に屋根と一体的に形成されるものであり、建物の屋根を兼ねた屋根一体型の支持構造を有している。
【００２４】
図１には、本実施形態における太陽光発電装置の平面図を示している。本実施形態では、屋根面の傾斜方向に沿って２枚、屋根面の傾斜方向と直交する左右方向に沿って３枚の太陽光発電パネル１を並設しており、合計で６枚の太陽光発電パネル１を支持固定している。太陽光発電パネル１は、方形状に枠組みされた枠体１１によって周縁部を保持されてパネル体１０を構成しており、このパネル体１０が屋根面に設置される架台２によって支持されている。
【００２５】
枠体１１は、太陽光発電パネル１の縁部のうち屋根面の傾斜方向に沿う縦辺を保持する縦枠１３と、太陽光発電パネル１の縁部のうち屋根面の傾斜方向と直交する左右方向に沿う横辺を保持する横枠１２とからなっている。横枠１２は、パネル体１０の上辺を構成する上枠５０と、パネル体１０の下辺を構成する下枠５５とからなっている。縦枠１３は、架台２を構成する縦レール部材２０によって支持固定されており、横枠１２は、架台２を構成する中間ブラケット２１によって支持されている。
【００２６】
架台２を構成する縦レール部材２０は、左右方向に隣接するパネル体１０の縦辺をそれぞれ支持固定できるように、長尺状に形成され、左右方向に一定間隔で配置される。本実施形態では、パネル体１０は左右方向に３枚配置されるので、図１に示すように、左右方向両端に配置されて一方側のみパネル体１０を支持固定する縦レール部材２０と、左右方向中間位置に配置されて両側でパネル体１０を支持固定する縦レール部材２０が、それぞれ設けられる。
【００２７】
パネル体１０の横辺については、短尺状に形成された中間ブラケット２１によって支持される。その詳細な構成については後述する。また、太陽光発電装置の下端部には、左右方向に沿って軒側端部材２２が、太陽光発電装置の上端部には、左右方向に沿って棟側端部材２３が、それぞれ設けられる。
【００２８】
太陽光発電装置につきより詳細に説明する。図２には図１のＡ−Ａ断面図を、図３には図１のＢ−Ｂ断面図を、それぞれ示している。なお、図２はＡ−Ａ断面のうち左半分を省略すると共に、中間の一部を省略し、また、図３ではＢ−Ｂ断面のうち中間の一部を省略している。図２に示すように、建物の屋根面３は、左右方向に一定間隔で配置される垂木３２によって野地板３０が支持されて構成されている。野地板３０は木材からなり、その表面には防水シート３１が張られている。
【００２９】
屋根面３の表面には、鋼板４が敷設され、鋼板４の上に架台２が設置されてパネル体１０を支持固定している。架台２は、前述のようにパネル体１０の縦辺を支持固定する縦レール部材２０を有している。縦レール部材２０は、垂木３２の間隔に合わせてその直上に配置され、屋根面３及び垂木３２に対してビス止め固定される。これにより、架台２の固定強度を大きくすることができる。
【００３０】
架台２は、縦レール部材２０と、縦レール部材２０間に設けられる中間ブラケット２１とによって構成されている。縦レール部材２０は、パネル体１０の縦枠１３を長手方向に沿って支持し、中間ブラケット２１は、パネル体１０の横枠１２を一定間隔毎に支持している。中間ブラケット２１の左右方向の長さは、縦レール部材２０間の距離よりも小さいため、架台２にはパネル体１０の下方に屋根面の傾斜方向に沿って貫通する空間領域が形成され、この空間領域を空気が抜けることができるようになっている。
【００３１】
図３に示すように、中間ブラケット２１は、屋根面の傾斜方向に沿って隣接する２枚のパネル体１０を構成する各横枠１２、１２を支持し、棟側端部と軒側端部では、それぞれ１つの横枠１２を支持しており、各パネル体１０の左右方向における中間部において、パネル体１０の厚み方向への移動を規制している。これにより、風圧等によるパネル体１０の撓みを防止することができる。
【００３２】
次に、縦レール部材２０の固定構造につき詳細に説明する。図４には図２のうち縦レール部材２０付近の拡大図を、図５には図４の分解図を、それぞれ示している。縦レール部材２０は、屋根面３に敷設される鋼板４に載置され、鋼板４を介して屋根面３に対して固定される底面部４０と、底面部４０から立ち上がる内側レール部４１及び外側レール部４２と、内側レール部４１のさらに内側に形成されるアタッチメント固定部４３を有している。
【００３３】
底面部４０は、前述のように鋼板４の突き合わせ部５よりも幅広となるように形成されていて、突き合わせ部５を外部に直接露出させないようにしている。また、底面部４０の中央位置において、縦レール部材２０はビス４８によって屋根面３に対し固定されている。
【００３４】
内側レール部４１と外側レール部４２は、それぞれアタッチメント固定部４３を挟んだ一組の立ち上がり片からなっている。内側レール部４１は、底面部４０から垂直方向に立ち上がっており、その上端部にはそれぞれ縦レール部材２０の中央側に向かって伸びる面状のパネル固定部４４を有していて、内側レール部４１とパネル固定部４４とで断面略Ｌ字状をなすように形成されている。
【００３５】
縦レール部材２０は、外側レール部４２と内側レール部４１を備えているから、底面部４０とで内側レール部４１と外側レール部４２と底面部４０とからなる外側の大きな凹部と内側レール４１とアタッチメント固定部４３と底面部４０とからなる内側の小さな凹部をそれぞれ形成している。したがって、太陽光発電パネル１間より水が浸入したとしても、これらの凹部が水通路となり屋根下方に水が流れるので、ビス４８による固定位置に水が浸入しないようにすることができる。さらに、パネル固定部４４は、縦レール部材２０の中央側端部がアタッチメント固定部４３よりも外側位置にあるため、仮にパネル固定部４４の上面側に水が浸入したとしても、浸入した水はアタッチメント固定部４３よりも外側の内側レール部４１間の領域に落ちるから、アタッチメント固定部４３の内側、すなわちビス４８の固定位置側には水が浸入しないようにすることができる。
【００３６】
また、底面部４０のビス４８を固定する部分は、厚肉状とされた凸部４０ａが形成されており、凸部４０ａが形成されていることで、アタッチメント固定部４３で囲まれたビス４８の固定位置に仮に水が浸入したとしても、アタッチメント固定部４３と凸部４０ａにより凹部による水通路が形成され、該通路を通り屋根下方に水が流れるので、屋根面３に挿通されるネジ面に水が浸入しないようにすることができ、防水性をさらに高くすることができる。
【００３７】
縦レール部材２０のパネル固定部４４に対しては、パネル体１０の縦枠１３が載置され、締結具であるボルトにより固着されている。縦枠１３は、太陽光発電パネル１の周面と対向する周面部１３ａと、周面部１３ａからパネル体１０の外周側に突出する平面状の固定面部１３ｂと、周面部１３ａからパネル体１０の内周側に突出し太陽光発電パネル１の周縁部を保持するパネル保持部１３ｃとを備えている。このうち縦枠１３の固定面部１３ｂが、縦レール部材２０のパネル固定部４４に載置され、固着される。
【００３８】
縦レール部材２０は、中央部のアタッチメント固定部４３を挟んで両側にそれぞれパネル固定部４４が形成されるので、隣接する左右のパネル体１０の縦枠１３を、それぞれ支持固定することができる。左右のパネル固定部４４は、先端部間が離隔しているため、縦レール部材２０においてはアタッチメント固定部４３及びビス４８の上方が開放状となっている。これに伴い、隣接する両縦枠１３も離隔した状態で支持固定されている。このため、パネル体１０の取付けや取外しの際には、縦枠１３を左右方向にスライド移動させることが可能となっている。
【００３９】
また、左右のパネル固定部４４が離隔しており、アタッチメント固定部４３及びビス４８の上方が開放状となっているため、縦レール部材２０を屋根面３に対し容易に固定することができると共に、取外しも容易にすることができる。さらには、縦枠１３を縦レール部材２０に固定する際には、縦枠１３の固定面部１３ｂを縦レール部材２０のパネル固定部４４に載置して固定すればよいので、位置合わせも容易にすることができる。
【００４０】
縦レール部材２０のアタッチメント固定部４３は、ビス４８による固定位置を挟んで断面略Ｌ字状の一組の突出部からなっている。このアタッチメント固定部４３には、パネル体１０の上面近傍位置までの高さを有するカバー用アタッチメント４６が係合固定され、カバー用アタッチメント４６には縦レールカバー４５が固定される。
【００４１】
カバー用アタッチメント４６は、下端部にアタッチメント固定部４３に対し係合自在な係合部４６ａを備えている。カバー用アタッチメント４６はアタッチメント固定部４３からパネル体１０の上面近傍位置までの高さを有しており、上端部には縦レールカバー４５を固定自在なカバー固定部４６ｂを備えている。
【００４２】
図６には、縦レール部材２０とカバー用アタッチメント４６との関係を表した斜視図を示している。この図に示すように、カバー用アタッチメント４６は縦レール部材２０よりも短い小片状の部材からなり、下端部の係合部４６ａで縦レール部材２０のアタッチメント固定部４３に対して係合固定される。アタッチメント固定部４３には、カバー用アタッチメント４６の固定位置の横に、折り返し状の長手方向係止部４６ａが形成されており、これによってカバー用アタッチメント４６の縦レール部材２０長手方向に対する移動を規制している。
【００４３】
カバー用アタッチメント４６は、縦レール部材２０の長手方向に沿って、所定間隔で複数設けられる。これら複数のカバー用アタッチメント４６によって、縦レール部材２０と同様、長手方向に長尺状に形成される縦レールカバー４５を支持固定する。
【００４４】
図４に示すように、縦レールカバー４５は、カバー固定部４６ｂに対してビス止め固定されるカバー側固着部４５ａと、カバー側固着部４５ａから左右に伸びるカバー部４５ｂとからなっている。カバー部４５ｂは、左右方向に隣接する縦枠１３の周面部１３ａ間に形成される空間部分を覆うと共に、パネル体１０を構成する縦枠１３のパネル保持部１３ｃの周縁部にかかる位置まで伸びるように形成されており、縦レール部材２０への水の浸入を防止している。
【００４５】
このように、カバー用アタッチメント４６が長尺状の縦レール部材２０よりも短い小片状に形成されており、長手方向に沿って複数設けられて、長尺状に形成された縦レールカバー４５を支持固定するようにしたことにより、縦レール部材２０の取付精度が高くなくても、小片状のカバー用アタッチメント４６であれば容易に係合固定することができるので、施工の簡易性を損なうことがないようにすることができ、また、縦レールカバー４５と縦レール部材２０との間に空間を確保することができるので、太陽光発電パネル１の配線などを通すスペースを確保することもできる。
【００４６】
また、カバー用アタッチメント４６は、縦レール部材２０に固定した状態での上端位置がパネル体１０の上面近傍位置となるので、縦レールカバー４５をパネル体１０と同等の位置で固定することができ、固定の作業を容易にすることができる。さらには、カバー用アタッチメント４６の縦レールカバー４５に対する固定は、カバー用アタッチメント４６の下端部に形成された係合部４６ａの係合によりなされるので、カバー用アタッチメント４６を縦レール部材２０に差し込むだけで簡単に取付ができる。
【００４７】
カバー用アタッチメント４６のカバー固定部４６ｂは、断面中空状に形成され、その下部はカバー固定部４６ｂから下方に延びる２つの脚部４６ｃ、４６ｃによって構成されている。これらの脚部４６ｃの下端部に係合部４６ａが形成されている。このため、脚部４６ｃは内側に向かって弾性変形させることができ、係合部４６ａによるアタッチメント固定部４３に対する固定は、この弾性変形により確実に行うことができる。また、脚部４６ｃを弾性変形させることにより、カバー用アタッチメント４６の縦レール部材２０からの取り外し作業も、容易に行うことができる。
【００４８】
カバー用アタッチメント４６としては、別の形態を採用することもできる。図７には、別の形態のカバー用アタッチメント４６を採用した場合の縦レール部材２０付近の拡大断面図を示している。この図は、カバー用アタッチメント４６と縦レールカバー４５以外の構成は、図４と同じであるので、共通する点については説明を省略する。
【００４９】
図７に示すように、この形態におけるカバー用アタッチメント４６は、縦レール部材２０に対して固定される断面略コ字状のアタッチメント本体４６ｄと、アタッチメント本体４６ｄと縦レールカバー４５とを連結するスペーサー４６ｅとの二部材によって構成されている。
【００５０】
アタッチメント本体４６ｄの下端部には、係合部４６ａが形成されており、縦レール部材２０のアタッチメント固定部４３に対して係合固定される。縦レールカバー４５のカバー側固着部４５ａは、下面側で断面略コ字状に形成され、この部分にスペーサー４６ｅの上端部を係合させ、ネジによって縦レールカバー４５とスペーサー４６ｅ及びアタッチメント本体４６ｄを共に固定する。
【００５１】
この形態においても、アタッチメント本体４６ｄ及びスペーサー４６ｅは小片状の部材からなり、縦レールカバー４５を簡易な作業で取付けることができると共に、縦レール部材２０上部におけるスペースも確保することができる。
【００５２】
以上、本発明の実施形態について説明したが、本発明の適用は本実施形態には限られず、その技術的思想の範囲内において様々に適用されうるものである。
【符号の説明】
【００５３】
１    太陽光発電パネル
２    架台
３    屋根面
４    鋼板
１０    パネル体
１１    枠体
１２    横枠
１３    縦枠
２０    縦レール部材
２１    中間ブラケット
４０    底面部
４３    アタッチメント固定部
４４    パネル固定部
４５    縦レールカバー
４５ａ  カバー側固着部
４５ｂ  カバー部
４６    カバー用アタッチメント
４６ａ  係合部
４６ｂ  カバー固定部
【図１】
2013076308.tif 000003
【図２】
2013076308.tif 000004
【図３】
2013076308.tif 000005
【図４】
2013076308.tif 000006
【図５】
2013076308.tif 000007
【図６】
2013076308.tif 000008
【図７】
2013076308.tif 000009